(57)【要約】【課題】空気調和機の室内機本体下部のビス止部のネジ穴部分に集中的な応力が加わることを回避し、ネジ穴部分の樹脂が割れることを防止する。【解決手段】据付板３の広面をなす基板４と、据付板３の下部に前方側に張り出して曲折形成され、上段面にネジ穴が形成された固定片６と、室内機本体に、掛合部１１が引掛部５に掛合した状態で固定片６に対向する位置に形成され、固定片６のネジ穴７に対向する位置にネジ穴１５が形成されたビス止部１２と、ビス止部１２のネジ穴１５を挿通し固定片６のネジ穴７に螺嵌される固定ビス１３と、固定ビス１３の首下部１３ｂがビス止部１２のネジ穴１５に挿入される長さを一定の長さに規制するストッパ１４とを備える。首下部１３ｂの挿入長さを規制することで、ビス止部１２に固定ビス１３の締め付けによる応力が加わらないため、ケミカルストレスアタックによる割れの発生が防止される。【選択図】図３
2008275274.tif 000002
【特許請求の範囲】
【請求項１】
背面を壁面に当て当該壁面にビス等により固着される据付板と、前記据付板により壁面に固定される室内機本体とを有する空気調和機において、前記室内機本体を前記据付板に取り付ける室内機の取付構造であって、
前記据付板の広面をなし、ビス等により壁面に固着される基板と、
前記基板の上部に前方側に張り出す鉤形成された、室内機本体を掛止するための引掛部と、
前記据付板の下部に前方側に張り出して段差状に曲折形成され、上段面にネジ穴が形成された固定片と、
前記室内機本体において、前記引掛部に掛合する形状に形成された掛合部と、
前記室内機本体において、前記掛合部が前記引掛部に掛合した状態で前記固定片に対向する位置に形成され、前記固定片のネジ穴に対向する位置にネジ穴が形成されたビス止部と、
前記ビス止部のネジ穴を挿通し前記固定片のネジ穴に螺嵌される固定ビスと、
前記固定ビスの首下部が前記ビス止部のネジ穴に挿入される長さを一定の長さに規制する螺入規制手段と、
を備えていることを特徴とする室内機の取付構造。
【請求項２】
前記螺入規制手段は、前記固定ビスに装着された状態で前記ビス止部のネジ穴に挿通されたストッパであることを特徴とする請求項１記載の室内機の取付構造。
【請求項３】
前記螺入規制手段は、前記固定ビスの首下に所要の長さ設けられた首下ねじ無部であることを特徴とする請求項１記載の室内機の取付構造。
【発明の詳細な説明】
【技術分野】
【０００１】
本発明は、室内の壁面に固定される据付板に、空気調和機の室内機本体を取り付ける室内機の取付構造に関する。
【背景技術】
【０００２】
電気ファンヒータ、温水ルームエアコン、浴室暖房乾燥機等の空気調和機の室内機を室内の壁面に取り付ける場合、据付板が使用される。据付板は、ビス等で壁面に固着され、この据付板に室内機本体が固定される。
【０００３】
一般に、据付板は、板上部に室内機本体を引っ掛けるためのフックを備え、板下部に室内機本体の下部をビスで固定するためのねじ穴を備えている（例えば、非特許文献１）。
【０００４】
非特許文献１に記載の据付板１０１を図７に示す。据付板１０１は、室内の壁面１００に当接してビスや埋込ボルト等で壁面１００に固着される板状の基板１０２を備え、この基板１０２の上辺部には前方に向かって張り出した引掛部１０３が形成されている。また、基板１０２の下辺は、左右一対に凸部１０４，１０４が形成され、この凸部１０４，１０４の下辺は前方に向かって張り出した固定片１０５，１０５が形成されている。室内機本体１１０は、裏面上部が引掛部１０３に掛止されるとともに、裏面下部が左右の固定片１０５，１０５にビス等で固定される。尚、室内機本体１１０のケーシングは、通常プラスチック（樹脂）により形成されている。
【０００５】
据付板１０１に室内機本体１１０を固定する取付構造としては、例えば、特許文献１〜５に記載のものが公知である。
【０００６】
室内機本体１１０を据付板１０１に取り付ける場合、まず、室内機本体１１０の上部を図８のように据付板１０１の上部の引掛部１０３に引っ掛ける（特許文献１，図８参照）。そして、図８の矢印Ａの方向に室内機本体１１０の下部を回動させて、固定片１０５に室内機本体１１０を接触させる。そして、図９に示すように、室内機本体１１０の下部に設けられたねじ穴と据付板１０１下部の固定片１０５，１０５に設けられたねじ穴にビス１１２を螺合させ、室内機本体１１０が据付板１０１から浮き上がらないように固定する（特許文献１，図９参照）。
【０００７】
据付板１０１の固定片１０５と室内機本体１１０とのビス固定は、図１０に示すように、室内機本体１１０のビス止部１１４のネジ穴１１１と、固定片１０５のネジ穴１１３を直接ビス１１２で螺合していた（特許文献１，図１０参照）。
【特許文献１】特開平１０−７３２７８号公報
【特許文献２】特開２００２−１５６１５８号公報
【特許文献３】特開２００７−５７１５８号公報
【特許文献４】特開平７−１６７４５７号公報
【特許文献５】特開平１０−７３２７７号公報
【特許文献６】実公平６−２００２７号公報
【非特許文献１】特許庁，「平成１８年度 標準技術集  空調設備の施工技術」，p．62，［online］，２００７年３月１４日，特許庁，［平成１９年３月２３日検索］，インターネット，＜URL : http://www.jpo.go.jp/shiryou/s_sonota/hyoujun_gijutsu/kutyou/2-1-1.pdf＞
【発明の開示】
【発明が解決しようとする課題】
【０００８】
しかしながら、上記従来の室内機の取付構造では、図１０に示したように、ビスにより室内機本体１１０の樹脂製のケーシングのビス止部１１４をビス１１２で直接押さえつける。そのため、下部ビス止部１１４において、ビス１１２の締め付けによる大きな応力が集中的に加わる。また、浴室暖房乾燥機の場合には、室内機は浴室内の壁に設置されるため、掃除の際に洗剤等の薬品が付着する場合が多い。そのため、洗剤等によるケミカルストレスアタックにより、室内機本体１１０のビス止部１１４のネジ穴１１１部分の樹脂に割れを生じるという問題があった。
【０００９】
そこで、本発明の目的は、室内機本体下部のビス止部のネジ穴部分に集中的な応力が加わることを回避し、ネジ穴部分の樹脂が割れることを防止することが可能な室内機の取付構造を提供することにある。
【課題を解決するための手段】
【００１０】
本発明の室内機の取付構造の第１の構成は、背面を壁面に当て当該壁面にビス等により固着される据付板と、前記据付板により壁面に固定される室内機本体とを有する空気調和機において、前記室内機本体を前記据付板に取り付ける室内機の取付構造であって、前記据付板の広面をなし、ビス等により壁面に固着される基板と、前記基板の上部に前方側に張り出す鉤形成された、室内機本体を掛止するための引掛部と、前記据付板の下部に前方側に張り出して段差状に曲折形成され、上段面にネジ穴が形成された固定片と、前記室内機本体において、前記引掛部に掛合する形状に形成された掛合部と、前記室内機本体において、前記掛合部が前記引掛部に掛合した状態で前記固定片に対向する位置に形成され、前記固定片のネジ穴に対向する位置にネジ穴が形成されたビス止部と、前記ビス止部のネジ穴を挿通し前記固定片のネジ穴に螺嵌される固定ビスと、前記固定ビスの首下部が前記ビス止部のネジ穴に挿入される長さを一定の長さに規制する螺入規制手段と、を備えていることを特徴とする。
【００１１】
この構成によれば、固定ビスを固定片のネジ穴に螺入する際に、螺入規制手段により固定ビスの首下部がビス止部のネジ穴に挿入される長さが一定の長さに規制される。従って、このように首下部の挿入長さを規制することで、ビス止部に固定ビスの締め付けによる応力が加わらないため、ケミカルストレスアタックによる割れの発生が防止される。
【００１２】
「空気調和機」とは、室内冷暖房や室内乾燥等の室内の空気調和を行う装置をいい、電気ファンヒータ、温水ルームエアコン、浴室暖房乾燥機等をいう。「引掛部」及び「掛合部」の数は特に限定されず、基板の中央に幅広の引掛部を１つ設けてもよいし、基板の左右上部に１対に引掛部を設けてもよい。また、「固定片」及び「ビス止部」並びに「ネジ穴」の数も特に限定されない。
【００１３】
「螺入規制手段」とは、固定ビスが固定片のネジ穴に螺入する長さを一定の長さに規制する手段をいい、例えば、スペーサによりビスの螺入長を規制する構成、ストッパによりビスの螺入長を規制する構成、首下ねじ無部を所要の長さとることによりビスの螺入長を規制する構成などを用いることができる。
【００１４】
本発明の室内機の取付構造の第２の構成は、前記第１の構成において、前記螺入規制手段は、前記固定ビスに装着された状態で前記ビス止部のネジ穴に挿通されたストッパであることを特徴とする。
【００１５】
本発明の室内機の取付構造の第３の構成は、前記第１の構成において、前記螺入規制手段は、前記固定ビスの首下に所要の長さ設けられた首下ねじ無部であることを特徴とする。
【発明の効果】
【００１６】
以上のように、本発明の室内機の取付構造によれば、固定ビスの首下部がビス止部のネジ穴に挿入される長さを一定の長さに規制する螺入規制手段を設けたことによって、固定ビスの首下部がビス止部のネジ穴に挿入される長さが一定の長さに規制され、ケミカルストレスアタックによるビス止部の割れの発生を防止することが可能となる。
【発明を実施するための最良の形態】
【００１７】
以下、本発明を実施するための最良の形態について、図面を参照しながら説明する。
【実施例１】
【００１８】
図１は、本発明の実施例１に係る室内機の取付構造の断面図である。図１において、空気調和器の室内機本体１は、室内の壁面２に据付けられる。
【００１９】
壁面２には、据付板３がビス等（図示せず）により固着されている。据付板３は、図２に示すような形状の金属板で構成されている。据付板３は矩形の一長辺中央に大きく湾曲した湾入部４ａが形成された広面をなす基板４を有し、この基板４がビス等により壁面に固着される。この基板４の上辺の左右には、壁から張り出すように引掛部５，５が段差状に曲折形成されている。基板４の左右の下辺には、壁から張り出すように固定片６，６が段差状に曲折形成されている。各固定片６は、基板４に対して垂直に曲折された直立部６ａと、直立部６ａの先端をクランク状に曲折して基板４と平行になるように形成された平行部６ｂとから構成されている。平行部６ｂの中央には、室内機本体１の下部をビス止めするためのネジ穴７が形成されている。
【００２０】
一方、室内機本体１は、据付板３に対向する側の面に裏板１０が設けられている。裏板１０の上部には下向き鉤状の掛合部１１が形成されている。掛合部１１は、据付板３上部の引掛部５に掛合し、室内機本体１の上部を据付板３に掛支する。また、裏板１０の上部には、据付板３の固定片６の平行部６ｂと対向する位置にビス止部１２が形成されている。ビス止部１２，１２には、据付板３の各ネジ穴７，７に対向して、ネジ穴１５，１５（図３参照）が形成されている。そして、ビス止部１２，１２のネジ穴１５，１５を通して固定ビス１３，１３が挿設されている。各固定ビス１３の先端部は、対向する据付板３の各ネジ穴７に螺合しており、これにより室内機本体１の左右下部は据付板３に固定されている。
【００２１】
図３は、図１の室内機の取付構造におけるビス止部１２と固定片６とをビス止めする構造を表す要部断面図である。図３において、壁面２、据付板３、基板４、固定片６、直立部６ａ、平行部６ｂ、ネジ穴７、裏板１０、ビス止部１２、及び固定ビス１３は、それぞれ図１と同様のものであり、同符号を付してある。
【００２２】
固定片６の平行部６ｂに貫設されたネジ穴７には、メス側のネジ溝が刻設されており、固定ビス１３と螺合する。また、ビス止部１２に貫設されたネジ穴１５は、固定ビス１３がストッパ１４に貫装された状態で挿通されている。ストッパ１４は、内径が固定ビス１３の首下部１３ｂの外形よりも僅かに大きい円筒形状であり、基端側に外フランジ１４ａが形成されている。また、ストッパ１４の円筒部１４ｂの軸方向の長さは、ビス止部１２のネジ穴１５部分の厚みよりも僅かに長く形成されている。一方、固定片６の平行部６ｂに貫設されたネジ穴７の径はストッパ１４の円筒部１４ｂの外形よりも小さい。したがって、ストッパ１４の円筒部１４ｂの先端は、固定片６の平行部６ｂのネジ穴７の周囲に当接し、ネジ穴７内には進入できない。そのため、ストッパ１４は、固定ビス１３のネジ頭１３ａと固定片６の平行部６ｂとの間に挟止され、固定ビス１３の首下部１３ｂがビス止部１２のネジ穴１５に挿入される長さを一定の長さに規制している。
【００２３】
このように、ストッパ１４を設けたことで、固定ビス１３のネジ頭１３ａからビス止部１２に直接応力が加わることがない。そのため、ビス止部１２において、ケミカルストレスアタックによりネジ穴１５周囲の樹脂が割れを生じることを防止することができる。
【実施例２】
【００２４】
図４は、本発明の実施例２に係る室内機の取付構造におけるビス止部１２と固定片６とをビス止めする構造を表す要部断面図である。図４において、壁面２、据付板３、基板４、固定片６、直立部６ａ、平行部６ｂ、ネジ穴７、裏板１０、ビス止部１２、ネジ頭１３ａ、首下部１３ｂ、及びネジ穴１５は、図３と同様であるため、同符号を付して説明は省略する。
【００２５】
本実施例においては、螺入規制手段として、図３のストッパ１４の代わりに固定ビス１３’の首下部１３ｂに首下ネジ無部１３ｃを設けている。図５（ａ）に、図４の固定ビス１３’の外観斜視図を示す。固定ビス１３’の首下部１３ｂは、ネジ頭１３ａの側に、所定の距離だけ、ネジ溝が刻設されていない首下ネジ無部１３ｃが設けられており、その先端側にネジ溝が刻設されたネジ部１３ｄが設けられている。
【００２６】
室内機本体１の下部を据付板３に固定する際に、固定ビス１３’を据付板３のネジ穴７に螺入する場合、ネジ部１３ｄはネジ穴７に螺入可能であるが、首下ネジ無部１３ｃはネジ穴７を通過することはできない。従って、固定ビス１３’を一杯に締めた場合、固定ビス１３’のネジ頭１３ａは、据付板３の平行部６ｂから首下ネジ無部１３ｃの長さだけ離隔した状態となる。すなわち、固定ビス１３’の首下ネジ無部１３ｃは、固定ビス１３’の首下部１３ｂがビス止部１２のネジ穴１５に挿入される長さを一定の長さに規制している。
【００２７】
このように、固定ビス１３’に首下ネジ無部１３ｃを設けたことで、固定ビス１３’のネジ頭１３ａからビス止部１２に直接応力が加わることがない。そのため、ビス止部１２において、ケミカルストレスアタックによりネジ穴１５周囲の樹脂が割れを生じることを防止することができる。
【００２８】
尚、本実施例において、図５（ｂ）に示したように、固定ビス１３’を、首下ネジ無部１３ｃの太さ（外径）をネジ部１３ｄの太さ（外径）よりも太く構成してもよい。このように、首下ネジ無部１３ｃを軸太とすることで、首下ネジ無部１３ｃのストッパとしての効果をより確実にすることができる。
【実施例３】
【００２９】
図６は、本発明の実施例２に係る室内機の取付構造におけるビス止部１２と固定片６とをビス止めする構造を表す要部断面図である。図６において、壁面２、据付板３、基板４、固定片６、ネジ穴７、裏板１０、ビス止部１２、ネジ頭１３ａ、首下部１３ｂ、及びネジ穴１５は、図４と同様であるため、同符号を付して説明は省略する。
【００３０】
本実施例においては、固定ビス１３”は、首下部１３ｂ全体にネジが刻設されており、図４の場合と異なり首下ネジ無部１３ｃのない通常のネジである。一方、固定片６は、基板４に対して垂直に曲折された第１の直立部６ｃと、第１の直立部６ｃの先端を階段状に曲折し基板４と平行になるように形成されたネジ当て部６ｄと、ネジ当て部６ｄに対して階段状に垂直に曲折された第２の直立部６ｅと、第２の直立部６ｅの先端を折り返して曲折し基板４と平行になるように形成された平行部６ｆとから構成されている。
【００３１】
固定ビス１３”は、一定の長さだけネジ穴７に螺入されていくと、固定ビス１３”の先端がネジ当て部６ｄに当たり、それ以上螺入することができず、螺入長が規制される。これにより、固定ビス１３”のネジ頭１３ａからビス止部１２に直接応力が加わることがなく、ビス止部１２において、ケミカルストレスアタックによりネジ穴１５周囲の樹脂が割れを生じることを防止することができる。
【図面の簡単な説明】
【００３２】
【図１】本発明の実施例１に係る室内機の取付構造の断面図である。
【図２】据付板３の斜視図である。
【図３】図１の室内機の取付構造におけるビス止部１２と固定片６とをビス止めする構造を表す要部断面図である。
【図４】本発明の実施例２に係る室内機の取付構造におけるビス止部１２と固定片６とをビス止めする構造を表す要部断面図である。
【図５】図４の固定ビス１３’の外観斜視図である。
【図６】本発明の実施例３に係る室内機の取付構造におけるビス止部１２と固定片６とをビス止めする構造を表す要部断面図である。
【図７】非特許文献１に記載の据付板である。
【図８】室内機本体１１０上部を据付板１０１お引掛部１０３に引っ掛ける状態を示す図である。
【図９】室内機本体１１０の下部をビス固定する状態を示す図である。
【図１０】据付板１０１の固定片１０５と室内機本体１１０のビス止部１１３とのビス固定状態を示す図である。
【符号の説明】
【００３３】
１  室内機本体
２  壁面
３  据付板
４  基板
４ａ  湾入部
５  引掛部
６  固定片
６ａ  直立部
６ｂ  平行部
６ｃ  第１の直立部
６ｄ  ネジ当て部
６ｅ  第２の直立部
６ｆ  平行部
７  ネジ穴
１０  裏板
１１  掛合部
１２  ビス止部
１３，１３’，１３”  固定ビス
１３ａ  ネジ頭
１３ｂ  首下部
１３ｃ  首下ネジ無部
１３ｄ  ネジ部
１４  ストッパ
１４ａ  外フランジ
１４ｂ  円筒部
１５  ネジ穴
【図１】
2008275274.tif 000003
【図２】
2008275274.tif 000004
【図３】
2008275274.tif 000005
【図４】
2008275274.tif 000006
【図５】
2008275274.tif 000007
【図６】
2008275274.tif 000008
【図７】
2008275274.tif 000009
【図８】
2008275274.tif 000010
【図９】
2008275274.tif 000011
【図１０】
2008275274.tif 000012